(57)【要約】【課題】複数のコンテンツを検索する際にユーザーの意図した結果が得られるようなコンテンツ検索装置、コンテンツ検索方法、コンテンツ検索プログラムおよびコンテンツ検索プログラムを格納した記録媒体を提供する。【解決手段】タグ情報が変換対象となるかを示すキーワードと変換する項目およびその項目に新たに設定するキーワードの３つを設定した変換テーブルを予め設定し、音楽データに対応して外部からダウンロードしたタグ情報をその変換テーブルを用いて変換する。そして、その変換されたタグ情報を用いて検索を行う。【選択図】図２
2009163433.tif 000002
【特許請求の範囲】
【請求項１】
音声情報または映像情報を含むコンテンツを個々に識別または分類するために複数の項目から構成されたタグ情報を取得するタグ情報取得手段と、前記タグ情報取得手段が取得した前記タグ情報を対応する前記コンテンツと関連付けて格納するタグ情報格納手段と、前記コンテンツを検索するためのキーワードを入力する入力手段と、前記入力手段が入力した検索キーワードに基づいて前記タグ情報を検索する検索手段と、を備えたコンテンツ検索装置において、
前記タグ情報に予め定めた特定の情報が含まれる場合は、当該タグ情報の予め定めた所定の項目内の情報を予め定めた新たな情報に変換する変換手段を備え、
前記検索手段が、前記変換手段によって変換された前記新たな情報を含むタグ情報に基づいて前記入力手段から入力されたキーワードを検索する
ことを特徴とするコンテンツ検索装置。
【請求項２】
前記変換手段が、前記タグ情報に含まれる前記特定の情報と前記所定の項目と前記新たな情報とを関連付けた変換テーブルを有することを特徴とする請求項１に記載のコンテンツ検索装置。
【請求項３】
前記特定の情報、前記所定の項目および前記新たな情報が、前記入力手段によって入力されることを特徴とする請求項１または２に記載のコンテンツ検索装置。
【請求項４】
前記特定の情報および前記新たな情報が、タイトル名、アーチスト名、ジャンルのうちいずれか１項目を示す情報であって、前記所定の項目が、タイトル名、アーチスト名、ジャンルのうちいずれか１項目であることを特徴とする請求項１乃至３のうちいずれか一項に記載のコンテンツ検索装置。
【請求項５】
前記コンテンツを、記録媒体に記録するコンテンツ記録手段を備えたことを特徴とする請求項１乃至４のうちいずれか一項に記載のコンテンツ検索装置。
【請求項６】
音声情報または映像情報を含むコンテンツを個々に識別または分類するために複数の項目から構成されたタグ情報を対応する前記音声情報または映像情報と関連付けて格納し、前記コンテンツを検索するために入力したキーワードに基づいて前記タグ情報を検索するコンテンツ検索方法において、
前記タグ情報に予め定めた特定の情報が含まれる場合は、当該タグ情報の予め定めた所定の項目内の情報を予め定めた新たな情報に変換し、変換された前記新たな情報を含むタグ情報に基づいて入力されたキーワードを検索することを特徴とするコンテンツ検索方法。
【請求項７】
音声情報または映像情報を含むコンテンツを個々に識別または分類するための複数の項目から構成されたタグ情報を取得するタグ情報取得手段と、前記タグ情報取得手段が取得した前記タグ情報を対応する前記コンテンツと関連付けて格納するタグ情報格納手段と、前記コンテンツを検索するためのキーワードを入力する入力手段と、を備えたコンテンツ検索装置のコンピュータを、前記入力手段が入力した検索キーワードに基づいて前記タグ情報を検索する検索手段として機能させるコンテンツ検索プログラムにおいて、
前記タグ情報に予め定めた特定の情報が含まれる場合は、当該タグ情報の予め定めた所定の項目内の情報を予め定めた新たな情報に変換する変換手段として前記コンピュータを機能させ、そして、
前記検索手段が、前記変換手段によって変換された前記新たな情報を含むタグ情報に基づいて前記入力手段から入力されたキーワードを検索する
ことを特徴とするコンテンツ検索プログラム。
【請求項８】
請求項７に記載のコンテンツ検索プログラムを格納したことを特徴とするコンピュータ読み取り可能な記録媒体。
【発明の詳細な説明】
【技術分野】
【０００１】
本発明は、音楽や映像などのコンテンツに付加されるタグ情報に基づいてコンテンツの検索を行うコンテンツ検索装置、コンテンツ検索方法、コンテンツ検索プログラムおよびコンテンツ検索プログラムを格納した記録媒体に関する。
【背景技術】
【０００２】
近年、例えば、ＣＤ−ＤＡなどで記録されている音楽データを圧縮してハードディスクドライブ（ＨＤＤ）やＣＤ−Ｒ（Compact Disc - Recordable）などの記録媒体に記録したり、インターネットなどから予め圧縮された音楽データをダウンロードしてＨＤＤやＣＤ−Ｒなどの記録媒体に記録したりすることが行われている。
【０００３】
この種の圧縮された音楽データなどはタグ情報が付加され、そのタグ情報はアーチスト名や曲のタイトル名など複数の項目から構成され、これらの項目の情報を記述することで、そのデータを再生した際の表示や所望の曲の検索などに用いられている（例えば特許文献１参照）。
【０００４】
そして、このタグ情報は、ユーザー自身で編集することも可能であるが、例えばインターネット上など外部のサーバにタグ情報を蓄積し、音楽データの記録時または予め記録媒体に音楽データが記録されている場合は、機器が音楽データを認識した時に、その音楽データに対応したタグ情報をダウンロードして取得するようなサービスも行われている。
【特許文献１】特開２００７−１４１３３２号公報
【発明の開示】
【発明が解決しようとする課題】
【０００５】
しかしながら、上述した外部サーバからタグ情報をダウンロードする場合に、そのダウンロードしたタグ情報の内容がユーザーの思っている内容と一致しないことがある。例えば、ある歌手について、そのジャンルをユーザーが「ロック」であると思っている場合に、ダウンロードしたタグが「Ｊ−ＰＯＰ」となっていると、ジャンルで検索した場合にその歌手の楽曲が検索結果に表示されないという結果になってしまう。あるいは、楽曲やアルバム単位などでジャンルをバラバラにつけてある場合は、ジャンルで検索した場合にその歌手の全ての楽曲が表示されないという結果になることもあった。
【０００６】
また、歌手名（アーチスト名）または曲名が英語かカタカナか、全角か半角か、など統一されていない場合も、歌手名や曲名で検索した際に所望に結果が得られないという問題もあった。
【０００７】
このような場合、ユーザーがタグ情報を編集すればよいが、曲数が増えるとその分編集する作業量も増大し煩雑になってしまう。
【０００８】
そこで、本発明は、複数のコンテンツを検索する際にユーザーの意図した結果が得られるようなコンテンツ検索装置、コンテンツ検索方法、コンテンツ検索プログラムおよびコンテンツ検索プログラムを格納した記録媒体を提供することを課題とする。
【課題を解決するための手段】
【０００９】
上記課題を解決するために、請求項１に記載のコンテンツ検索装置は、音声情報または映像情報を含むコンテンツを個々に識別または分類するために複数の項目から構成されたタグ情報を取得するタグ情報取得手段と、前記タグ情報取得手段が取得した前記タグ情報を対応する前記コンテンツと関連付けて格納するタグ情報格納手段と、前記コンテンツを検索するためのキーワードを入力する入力手段と、前記入力手段が入力した検索キーワードに基づいて前記タグ情報を検索する検索手段と、を備えたコンテンツ検索装置において、前記タグ情報に予め定めた特定の情報が含まれる場合は、当該タグ情報の予め定めた所定の項目内の情報を予め定めた新たな情報に変換する変換手段を備え、前記検索手段が、前記変換手段によって変換された前記新たな情報を含むタグ情報に基づいて前記入力手段から入力されたキーワードを検索することを特徴としている。
【００１０】
請求項６に記載のコンテンツ検索方法は、音声情報または映像情報を含むコンテンツを個々に識別または分類するために複数の項目から構成されたタグ情報を対応する前記音声情報または映像情報と関連付けて格納し、前記コンテンツを検索するために入力したキーワードに基づいて前記タグ情報を検索するコンテンツ検索方法において、前記タグ情報に予め定めた特定の情報が含まれる場合は、当該タグ情報の予め定めた所定の項目内の情報を予め定めた新たな情報に変換し、変換された前記新たな情報を含むタグ情報に基づいて入力されたキーワードを検索することを特徴としている。
【００１１】
請求項７に記載のコンテンツ検索プログラムは、音声情報または映像情報を含むコンテンツを個々に識別または分類するための複数の項目から構成されたタグ情報を取得するタグ情報取得手段と、前記タグ情報取得手段が取得した前記タグ情報を対応する前記コンテンツと関連付けて格納するタグ情報格納手段と、前記コンテンツを検索するためのキーワードを入力する入力手段と、を備えたコンテンツ検索装置のコンピュータを、前記入力手段が入力した検索キーワードに基づいて前記タグ情報を検索する検索手段として機能させるコンテンツ検索プログラムにおいて、前記タグ情報に予め定めた特定の情報が含まれる場合は、当該タグ情報の予め定めた所定の項目内の情報を予め定めた新たな情報に変換する変換手段として前記コンピュータを機能させ、そして、前記検索手段が、前記変換手段によって変換された前記新たな情報を含むタグ情報に基づいて前記入力手段から入力されたキーワードを検索することを特徴としている。
【発明を実施するための最良の形態】
【００１２】
以下、本発明の一実施形態にかかるコンテンツ検索装置を説明する。本発明の一実施形態にかかるコンテンツ検索装置は、タグ情報に予め定めた特定の情報が含まれる場合は、変換手段で、予め定めた所定の項目内の情報を、予め定めた新たな情報に変換し、検索手段が、その新たな情報を含むタグ情報に基づいて検索を行うので、例えば、ある歌手名を特定の情報とし、所定の項目をジャンル名として、新たな情報を新しいジャンル名とすれば、その歌手についてのジャンルを統一することができる。つまり、予め２つの情報と１つの項目を定義しておけば、その後は自動的にタグ情報の所定の項目の内容が統一されるので、複数のコンテンツを検索する際にユーザーの意図した結果を得ることができる。
【００１３】
また、変換手段が、タグ情報に含まれる特定の情報と所定の項目と新たな情報とを関連付けた変換テーブルを有してもよい。このようにすることにより、変換テーブルを参照して所定の項目内の情報を新たな情報に変換することができる。
【００１４】
また、特定の情報、所定の項目および新たな情報が、入力手段によって入力されてもよい。このようにすることにより、所定の項目をユーザーの意図した内容に変換することができる。
【００１５】
また、特定の情報および新たな情報が、タイトル名、アーチスト名、ジャンルのうちいずれか１項目を示す情報であって、所定の項目が、タイトル名、アーチスト名、ジャンルのうちいずれか１項目であってもよい。このようにすることにより、タイトル名やアーチスト名の英語やカタカナなどの不統一やジャンルの不統一を無くすことができ、複数のコンテンツを検索する際にユーザーの意図した結果を得ることができる。
【００１６】
また、コンテンツを、記録媒体に記録するコンテンツ記録手段を備えてもよい。このようにすることにより、コンテンツをダウンロードしたりリッピングするような機器においても、複数のコンテンツを検索する際にユーザーの意図した結果を得ることができる。
【００１７】
また、本発明の一実施形態にかかるコンテンツ検索方法は、タグ情報に予め定めた特定の情報が含まれる場合は、予め定めた所定の項目内の情報を、予め定めた新たな情報に変換し、その新たな情報を含むタグ情報に基づいて検索を行うので、例えば、ある歌手名を特定の情報とし、所定の項目をジャンル名として、新たな情報を新しいジャンル名とすれば、その歌手についてのジャンルを統一することができる。つまり、予め２つの情報と１つの項目を定義しておけば、その後は自動的にタグ情報の内容が統一されるので、複数のコンテンツを検索する際にユーザーの意図した結果を得ることができる。
【００１８】
また、本発明の一実施形態にかかるコンテンツ検索プログラムは、タグ情報に予め定めた特定の情報が含まれる場合は、変換手段で、予め定めた所定の項目内の情報を、予め定めた新たな情報に変換し、検索手段が、その新たな情報を含むタグ情報に基づいて検索を行うので、例えば、ある歌手名を特定の情報とし、所定の項目をジャンル名として、新たな情報を新しいジャンル名とすれば、その歌手についてのジャンルを統一することができる。つまり、予め２つの情報と１つの項目を定義しておけば、その後は自動的にタグ情報の内容が統一されるので、複数のコンテンツを検索する際にユーザーの意図した結果を得ることができる。
【００１９】
また、請求項７に記載のコンテンツ検索プログラムをコンピュータ読み取り可能な記録媒体に格納してもよい。このようにすることにより、記録媒体再生プログラムを機器に組み込む以外に単体でも流通させることができ、バージョンアップ等も容易に行える。
【実施例】
【００２０】
本発明の一実施例にかかるコンテンツ検索装置１を図１乃至図４を参照して説明する。本発明の一実施例にかかるコンテンツ検索装置１は、図１に示すように、ＣＰＵ２と、ＲＯＭ３と、ＲＡＭ４と、ＨＤＤ５と、ディスプレイ６と、キーボード７と、マウス８と、外部Ｉ／Ｆ９と、光ディスクドライブ１０と、を備えている。すなわち、本実施例におけるコンテンツ検索装置１は一般的なパーソナルコンピュータを用いている。
【００２１】
タグ情報取得手段、検索手段、変換手段、コンテンツ記録手段としてのＣＰＵ（Central Processing Unit）２は、後述するＲＯＭ３やＨＤＤ５などに記録されているプログラムなどを読み出して実行する。また、キーボード７やマウス８からの入力に応じたコンテンツ検索装置１の動作制御や、ディスプレイ６に表示させるデータの制御、外部Ｉ／Ｆ９からの入出力制御および光ディスクドライブ１０へのアクセス制御も行っている。
【００２２】
ＲＯＭ（Read Only Memory）３は、コンテンツ検索装置１の起動のためのプログラムなどが記憶されており、コンテンツ検索装置１の起動時にＣＰＵ２によって読み出され実行される。ＲＡＭ（Random Access Memory）４は、ＣＰＵ２が実行しているプログラムなどが実行中に発生するデータなどを記憶し、必要に応じてＣＰＵ２が読み書きする。
【００２３】
記録媒体、タグ情報格納手段としてのＨＤＤ５は、ＯＳ（Operating System）や各種プログラムおよびデータなどが記憶されているハードディスクドライブであり、ＣＰＵ２からの指示に応じて読み出しおよび書き込みが行われる。
【００２４】
ディスプレイ６は、ＣＲＴ（Cathode Ray Tube）やＬＣＤ（Liquid Crystal Display）などにより構成され、文字や図形、カーソルなどが表示される。
【００２５】
入力手段としてのキーボード７は、コンテンツ検索装置１に文字を入力するための装置で、複数のキーからなる。マウス８は、１または複数のボタンと、移動方向、移動速度などの検出器を備えた入力装置であり、机上などで移動させることにより検出器から移動方向、移動速度などの情報がＣＰＵ２に入力される。マウス８を動かすと、ディスプレイ６の画面上にはマウス８の動きに合わせて移動する小さなキャラクタ（カーソル）が表示され、これを操ることによってコンテンツ検索装置１を操作する。
【００２６】
外部Ｉ／Ｆ９は、コンテンツ検索装置１外部のネットワークや外付け機器などと接続するためのインタフェースであり、ネットワーク接続用のインタフェースやＵＳＢ（Universal Serial Bus）インタフェースなどを備えている。
【００２７】
光ディスクドライブ１０は、記録媒体としての光ディスク（ＣＤやＤＶＤ（Digital Versatile Disc）に記録されたデータなどを読み出してＣＰＵ２に出力したり、ＣＰＵ２の制御によりＲＡＭ４やＨＤＤ５に格納する。
【００２８】
上述した構成のコンテンツ検索装置１では、音楽データを外部Ｉ／Ｆ９を介してインターネットなどからダウンロードまたは光ディスクドライブ１０からリッピングを行ってＨＤＤ５に圧縮データとして記録する。そして、この音楽データ（圧縮データ）には、ダウンロードした時点またはリッピングを行った時点で、その楽曲に関するタグ情報が外部Ｉ／Ｆ９を介してインターネットなどからダウンロードされ、その音楽データと関連付けてＨＤＤ５に記録される。なお、このタグ情報は対応する音楽データと関連付けられていれば音楽データと同じＨＤＤ５でなく例えばＲＡＭ４に記録してもよい。
【００２９】
本実施例ではこの音楽データを圧縮する方式としてＭＰ３（MPEG1 Audio Layer3）を用いる。したがって、一般的にタグ情報はＩＤ３タグが使用される。ＩＤ３タグはバージョン１では圧縮データファイルの末尾に１２８バイトのデータとして付加され、バージョン２では、別ファイルとして対応する圧縮データファイルとリンクする。本発明ではどちらのバージョンでも適用可能である。
【００３０】
次に、上述した構成のコンテンツ検索装置１において、コンテンツとして音楽データが記録されたＨＤＤ５から所望の曲を検索するためにタグ情報を変換する動作を示したフローチャートを図２を参照して説明する。図２に示したフローチャートはＣＰＵ２が実行することにより実現する。
【００３１】
まず、ステップＳ１において、ダウンロードしたタグ情報における各項目内の情報の変換するためのテーブルを設定してステップＳ２に進む。このテーブルは、特定の情報としての変換対象となるタグ情報を示すキーワードと所定の項目としての実際の変換対象となる項目および新たな情報としての変換後のキーワードを、ユーザーによってキーボード７から入力し、それぞれ関連付けてＲＡＭ４またはＨＤＤ５に記録する。
【００３２】
次に、ステップＳ２において、音楽データをダウンロードしてステップＳ３に進む。本ステップでは上述したように、外部Ｉ／Ｆ９を介してインターネットなどから音楽データをダウンロードするが、ＣＤなどの光ディスクからのリッピングでもよい。
【００３３】
次に、ステップＳ３において、タグ情報をダウンロードしてステップＳ４に進む。本ステップではステップＳ２でダウンロードした音楽データに対応するタグ情報を外部Ｉ／Ｆ９を介してインターネットなどからダウンロードする。なお、このタグ情報は、ステップＳ２で音楽データと同時にダウンロードしてもよい。
【００３４】
次に、ステップＳ４において、タグ情報の解析を行いステップＳ５に進む。つまり、ダウンロードしたタグ情報にステップＳ１で設定した変換テーブルの変換対象となるタグ情報を示すキーワードがあるか解析する。
【００３５】
次に、ステップＳ５において、ステップＳ４の解析によって、変換対象となるタグ情報を示すキーワードがそのタグ情報に含まれるか否かを判断し、含まれる場合（ＹＥＳの場合）はステップＳ６に進み、含まれない場合（ＮＯの場合）は終了する。
【００３６】
次に、ステップＳ６において、タグ情報内の項目を自動的に書き換えて終了する。つまり、変換対象となるタグ情報内の実際の変換対象となる項目のキーワードを変換後のキーワードに書き換える。すなわち、タグ情報に予め定めた特定の情報が含まれる場合は、当該タグ情報の予め定めた所定の項目内の情報を予め定めた新たな情報に変換している。
【００３７】
そして、この変換されたタグ情報はＨＤＤ５またはＲＡＭ４内に記録され、この変換されたタグ情報を用いて音楽データの検索を行う。
【００３８】
ここで、具体的な変換テーブルと変換の例を図３および図４を参照して説明する。
【００３９】
図３に変換テーブルの例を示す。変換テーブルは図３に示すようにそのタグ情報が変換対象となるかを示すキーワード、つまりこのキーワードを含むタグ情報は変換処理を行う対象となることを示すキーワードと、変換する項目およびその項目に新たに設定するキーワードの３つが設定されている。図３の場合で説明すると、「ＡＡ」というキーワードを含むタグ情報はジャンルを「Ｊ−ＰＯＰ」に変換する。「ＡｒｔｉｓｔＢ」というキーワードを含むタグ情報はアーチスト名を「アーチストビー」に変換する。「タイトルシィー」というキーワードを含むタグ情報は曲名を「ＴｉｔｌｅＣ」に変換する。
【００４０】
変換例を図４を参照して説明する。図４は、音楽データとしてＭＰ３形式で圧縮されたＸＸＸ．ｍｐ３とＹＹＹ．ｍｐ３の２つのデータがあり、それぞれに外部からダウンロードしたＩＤ３タグが付加（別ファイルとしてリンク）されている場合である。このとき、ＸＸＸ．ｍｐ３のＩＤ３タグ内のジャンルはＪ−ＰＯＰであるが、ＹＹＹ．ｍｐ３のＩＤ３タグ内のジャンルはＲｏｃｋとなっている。このとき、ユーザーがアーチストＡＡをＪ−ＰＯＰのジャンルに属するアーチストであると考えていた場合に、Ｊ−ＰＯＰに分類されるアーチストの曲を全て表示させようとして検索すると、ＹＹＹ．ｍｐ３が表示されないという問題が発生してしまう。そこで、図３の変換テーブルを適用してＩＤ３タグの情報を変換することでアーチストＡＡのジャンルをＪ−ＰＯＰに統一することができるために、ユーザーの意図したとおりの検索結果が得られるようになる。
【００４１】
これは、ジャンルに限らず、アーチスト名や曲名が英語とカタカナが混在する場合にどちらか一方に統一することができる。例えば図３では、「ＡｒｔｉｓｔＢ」というアーチスト名を「アーチストビー」に、「タイトルシィー」という曲名を「ＴｉｔｌｅＣ」に、それぞれ統一することができる。
【００４２】
また、図示しないが文字の半角と全角、漢字の新字体と旧字体の統一や、長いタイトル名やアーチスト名を短縮した名称などに変換することも可能である。特に後者の長いタイトル名やアーチスト名を短縮した名称などに変換するのは携帯音楽プレーヤなど表示画面が小さい機器では表示のためのスクロールを無くすことができるため有効である。
【００４３】
本実施例によれば、タグ情報が変換対象となるかを示すキーワードと変換する項目およびその項目に新たに設定するキーワードの３つを設定した変換テーブルを予め設定し、音曲データに対応して外部からダウンロードしたタグ情報を、その変換テーブルを用いて変換することで、タグ情報において例えば特定のアーチストのジャンルをユーザーの意図するものに統一することができるので、その変換後のタグ情報を用いて検索することで、検索結果がユーザーの意図した結果となる。
【００４４】
なお、上述した実施例は、コンテンツ検索装置１としてパーソナルコンピュータを用いて音楽データを再生する例を示したが、それに限らず、ＨＤＤを内蔵した記録再生装置に適用することもできる。また、光ディスクを利用した再生装置にネットワーク接続端子やタグ情報格納用のメモリなどを備えれば光ディスク再生装置に適用することも可能である。
【００４５】
また、上述した実施例のように、コンテンツ検索装置１はコンテンツ検索装置で構成することが可能であることからＣＰＵ２で実行するプログラムとすることもできる。
【００４６】
また、圧縮データの規格としてはＭＰ３に限らず、ＷＭＡやＡＡＣなどコンテンツを個々に識別または分類するための複数の項目から構成されたタグ情報に相当するデータが付加またはリンクされる規格であれば適用可能である。したがって、圧縮データでなくてもタグ情報に相当するデータが付加またはリンクされるデータであれば適用可能である。
【００４７】
また、音楽（音声）データではなく映像データに適用してもよい。例えば映像データとしてＤｉｖＸフォーマットを用いた場合はＸタグがタグ情報となる。
【００４８】
前述した実施例によれば、以下のコンテンツ検索装置１、コンテンツ検索方法およびコンテンツ検索プログラムが得られる。
【００４９】
（付記１）音楽データを個々に識別または分類するための複数の項目から構成されたタグ情報を取得するＣＰＵ２と、ＣＰＵ２が取得したタグ情報を対応する音楽データと関連付けて格納するＨＤＤ５と、音楽データを検索するためのキーワードを入力するキーボード７と、キーボード７が入力した検索キーワードに基づいてタグ情報を検索するＣＰＵ２と、を備えたコンテンツ検索装置１において、
タグ情報に予め定めた特定の情報が含まれる場合は、当該タグ情報の予め定めた所定の項目内の情報を予め定めた新たな情報に変換するＣＰＵ２を備え、
ＣＰＵ２が、ＣＰＵ２によって変換された新たな情報を含むタグ情報に基づいてキーボード７から入力されたキーワードを検索する
ことを特徴とするコンテンツ検索装置１。
【００５０】
このコンテンツ検索装置１によれば、例えば、ある歌手名を特定の情報とし、所定の項目をジャンル名として、新たな情報を新しいジャンル名とすれば、その歌手についてのジャンルを統一することができる。予め２つの情報と１つの項目を定義しておけば、その後は自動的にタグ情報の内容が統一されるので、複数のコンテンツを検索する際にユーザーの意図した結果を得ることができる。
【００５１】
（付記２）音楽データ個々に識別または分類するための複数の項目から構成されたタグ情報を対応する音楽データと関連付けて格納し、入力した検索キーワードに基づいてタグ情報を検索するコンテンツ検索方法において、
タグ情報に予め定めた特定の情報が含まれる場合は、当該タグ情報の予め定めた所定の項目内の情報を予め定めた新たな情報に変換し、変換された新たな情報を含むタグ情報に基づいて入力されたキーワードを検索することを特徴とするコンテンツ検索方法。
【００５２】
このコンテンツ検索方法によれば、例えば、ある歌手名を特定の情報とし、所定の項目をジャンル名として、新たな情報を新しいジャンル名とすれば、その歌手についてのジャンルを統一することができる。つまり、予め２つの情報と１つの項目を定義しておけば、その後は自動的にタグ情報の内容が統一されるので、複数のコンテンツを検索する際にユーザーの意図した結果を得ることができる。
【００５３】
音楽データを個々に識別または分類するための複数の項目から構成されたタグ情報を取得するＣＰＵ２と、ＣＰＵ２が取得したタグ情報を対応する音楽データと関連付けて格納するＨＤＤ５と、音楽データを検索するためのキーワードを入力するキーボード７と、を備えたコンテンツ検索装置のコンピュータを、キーボード７が入力した検索キーワードに基づいてタグ情報を検索するＣＰＵ２と、して機能させるコンテンツ検索プログラムにおいて、
タグ情報に予め定めた特定の情報が含まれる場合は、当該タグ情報の予め定めた所定の項目内の情報を予め定めた新たな情報に変換するＣＰＵ２としてコンピュータを機能させ、そして、
ＣＰＵ２が、ＣＰＵ２によって変換された新たな情報を含むタグ情報に基づいてキーボード７から入力されたキーワードを検索する
ことを特徴とするコンテンツ検索プログラム。
【００５４】
このコンテンツ検索プログラムによれば、例えば、ある歌手名を特定の情報とし、所定の項目をジャンル名として、新たな情報を新しいジャンル名とすれば、その歌手についてのジャンルを統一することができる。つまり、予め２つの情報と１つの項目を定義しておけば、その後は自動的にタグ情報の内容が統一されるので、複数のコンテンツを検索する際にユーザーの意図した結果を得ることができる。
【００５５】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００５６】
【図１】本発明の一実施例にかかるコンテンツ検索装置のブロック図である。
【図２】図１に示されたコンテンツ検索装置におけるタグ情報の変換手順を示したフローチャートである。
【図３】変換テーブルの例である。
【図４】タグ情報の変換例の説明図である。
【符号の説明】
【００５７】
１        コンテンツ検索装置
２        ＣＰＵ（タグ情報取得手段、検索手段、変換手段、コンテンツ記録手段）
５        ＨＤＤ（記録媒体、タグ情報格納手段）
７        キーボード（入力手段）
【図１】
2009163433.tif 000003
【図２】
2009163433.tif 000004
【図３】
2009163433.tif 000005
【図４】
2009163433.tif 000006